(57)【要約】      （修正有）【課題】収納した吊り下げ部の突出作業を容易に行うとともに、使用時の吊り下げ安定性を向上する小物用フックを提供する。【解決手段】商品の収納体Ｐをその一方の面側から挟み込む第一挟み込み片１と、この第一挟み込み片１と連設部２を介して連設され、収納体Ｐをその他方の面側から挟み込む第二挟み込み片と、第一挟み込み片に連設された吊り下げ部４とを備えた小物用フックである。この連設部２を折り曲げて両挟み込み片を対向させつつ、これらに形成された第一係止部及び第二係止部８を、収納体Ｐに形成したフック孔に通して互いに留めて係止する。そして、吊り下げ部４をフック孔周りに回動し、不使用時には、収納体Ｐの端部Ｐｅから突出しないように収納する一方で、使用時には収納体Ｐから起立させる。このとき、回動範囲の両端において、連設部２を収納体Ｐの端部Ｐｅに当接させることによって、所定の回動範囲を超える回動が制限される。【選択図】図５
0003160038.tif 000002
【実用新案登録請求の範囲】
【請求項１】
商品の収納体（Ｐ）をその一方の面側から挟み込む第一挟み込み片（１）と、前記第一挟み込み片（１）と連設部（２）を介して連設され、前記収納体（Ｐ）をその他方の面側から挟み込む第二挟み込み片（３）と、両挟み込み片（１、３）のうち少なくとも一方に連設された吊り下げ部（４）とを有し、前記第一挟み込み片（１）には第一係止部（５）が、前記第二挟み込み片（３）には第二係止部（８）がそれぞれ形成されており、
前記連設部（２）を折り曲げて前記両挟み込み片（１、３）を対向させ、前記収納体（Ｐ）に形成したフック孔（Ｈ）を通して両係止部（５、８）を互いに留めて、前記収納体（Ｐ）への係止をなし、
前記吊り下げ部（４）の不使用の際に、前記フック孔（Ｈ）に通した両係止部（５、８）をこのフック孔（Ｈ）を中心に一方向に回動させて、前記吊り下げ部（４）を前記収納体（Ｐ）の端部（Ｐｅ）側に収納するとともに、折り曲げた状態の前記連設部（２）を前記端部（Ｐｅ）に当接させて、前記両係止部（５、８）が、前記収納の位置からさらに前記一方向に回動するのを防止する一方で、
前記吊り下げ部（４）の使用の際に、前記フック孔（Ｈ）に通した両係止部（５、８）を前記一方向と反対向きの他方向に回動させて、前記端部（Ｐｅ）から前記吊り下げ部（４）を突出させるとともに、折り曲げた状態の前記連設部（２）を前記端部（Ｐｅ）に当接させて、前記両係止部（５、８）が、前記突出の位置からさらに前記他方向に回動するのを防止するようにした小物用フック。
【請求項２】
前記吊り下げ部（４）を、前記フック孔（Ｈ）周りに９０度の範囲で回動自在に設けた請求項１に記載の小物用フック。
【請求項３】
前記両係止部（５、８）が、雌スナップと雄スナップである請求項１又は２に記載の小物用フック。
【考案の詳細な説明】
【技術分野】
【０００１】
この考案は、店頭において商品等を収納した収納体を吊り下げて展示する際に用いる小物用フックに関する。
【背景技術】
【０００２】
小物用フックは、例えば下記特許文献１乃至３に示すように、フック孔を形成した商品等の収納袋や収納ケース等の収納体に取り付けて、この収納体を吊り下げて展示する際に用いられる。例えば、図９に示す小物用フックには係止部５、８が形成され、この係止部５、８をフック孔Ｈに挿し込んで互いに留めることにより、収納体Ｐに係止される。また、この小物用フックには吊り下げ部４が形成され、この吊り下げ部４を収納体Ｐから起立させて店頭に設置されたハンガー棒Ｂ等に吊り下げて、商品等の展示がなされる。
【０００３】
前記収納体Ｐは、小物用フックを取り付けた状態のまま、段ボール箱等に梱包されて搬送されることが多い。このとき、その吊り下げ部４が収納体Ｐの端部Ｐｅから突出していると、その突出分だけ嵩張ってしまい搬送効率が悪い。このため、この吊り下げ部４をフック孔Ｈ周りに回動して、フックの不使用時には吊り下げ部４を収納体Ｐの端部Ｐｅから突出しないように収納するのが一般的である（同図中の想像線を参照）。
【先行技術文献】
【特許文献】
【０００４】
【特許文献１】特開平８−２９４４３３号公報
【特許文献２】特開２００１−２７５８０８号公報
【特許文献３】特開２００９−１０６３２４号公報
【考案の概要】
【考案が解決しようとする課題】
【０００５】
上記特許文献１乃至３、及び図９に示す小物用フックは、吊り下げ部４がフック孔Ｈ周りに３６０度の角度範囲で自在に回動し得る。このため、上述のように吊り下げ部４を収納して段ボール箱等に梱包された状態で、その吊り下げ部４の角度（方向）が、一つ一つ異なりやすい。そして、その中には吊り下げ部４が収納体Ｐの端部Ｐｅのちょうど反対側に位置してしまい、作業者がこの吊り下げ部４を収納体Ｐの端部Ｐｅから突出させる際に手間取ることが多い。
【０００６】
また、この小物用フックの使用時において、吊り下げ部４が自在に回動することにより、顧客が収納体Ｐに触れた場合にこの吊り下げ部４が大きく揺れて、ハンガー棒Ｂ等から落下しやすい。この場合、商品に破損や汚れが生じ、商品価値が損なわれてしまう恐れがある。
【０００７】
そこで、この考案は、収納した吊り下げ部の突出作業を容易に行うとともに、使用時の吊り下げ安定性を向上することを課題とする。
【課題を解決するための手段】
【０００８】
上記課題を解決するため、この考案は、商品の収納体をその一方の面側から挟み込む第一挟み込み片と、前記第一挟み込み片と連設部を介して連設され、前記収納体をその他方の面側から挟み込む第二挟み込み片と、両挟み込み片のうち少なくとも一方に連設された吊り下げ部とを有し、前記第一挟み込み片には第一係止部が、前記第二挟み込み片には第二係止部がそれぞれ形成されており、前記連設部を折り曲げて前記両挟み込み片を対向させ、前記収納体に形成したフック孔を通して両係止部を互いに留めて、前記収納体への係止をなし、前記吊り下げ部の不使用の際に、前記フック孔に通した両係止部をこのフック孔を中心に一方向に回動させて、前記吊り下げ部を前記収納体の端部側に収納するとともに、折り曲げた状態の前記連設部を前記端部に当接させて、前記両係止部が、前記収納の位置からさらに前記一方向に回動するのを防止する一方で、前記吊り下げ部の使用の際に、前記フック孔に通した両係止部を前記一方向と反対向きの他方向に回動させて、前記端部から前記吊り下げ部を突出させるとともに、折り曲げた状態の前記連設部を前記端部に当接させて、前記両係止部が、前記突出の位置からさらに前記他方向に回動するのを防止するように小物用フックを構成した。
【０００９】
前記連設部は前記収納体の両面側を跨ぐように設けられているため、この連設部が収納体の端部に当接しない範囲において、両方向に自在に回動させることができるが、この連設部が前記端部に当接すると、それ以上のその方向への回動が阻止される。この自在に回動し得る角度範囲は、連設部やフック孔の形成位置によって所望の範囲に適宜変更することができる。
【００１０】
前記構成においては、前記吊り下げ部を、前記フック孔周りに９０度の範囲で回動自在に設けるのがより好ましい。
このようにすると、吊り下げ部の不使用時にはこの吊り下げ部を水平に寝かせた状態として、前記端部から突出しないように収納できる一方で、この吊り下げ部の使用時にはこの吊り下げ部をちょうど起立させた状態として、ハンガー棒等に吊り下げるようにすることができる。
【００１１】
また、前記各構成においては、前記両係止部を雌スナップと雄スナップとするのが好ましい。
このようにスナップ式とすることにより、工具を用いることなくこの小物用フックの装着作業を行うことができ、利便性が高い。
【考案の効果】
【００１２】
この考案によると、小物用フックの吊り下げ部の回動を所定の角度範囲内とすることができるため、収納した吊り下げ部を所定の位置に保つことができるとともに、収納体を吊り下げた際に、この収納体が大きく揺れるのを防止することができる。このため、使用時にこの吊り下げ部をスムーズに起立させることができ、作業性が向上するとともに、商品の陳列中にこの商品が落下するトラブルを減らすことができる。
【図面の簡単な説明】
【００１３】
【図１】本願考案に係る小物用フックの第一実施形態を示し、（ａ）は正面図、（ｂ）は側面図、（ｃ）は（ａ）のＡ−Ａ断面図
【図２】第一実施形態に係る小物用フックを示し、（ａ）は前方斜視図、（ｂ）は後方斜視図
【図３】第一実施形態に係る小物用フックの収納体への取り付けを示す斜視図
【図４】第一実施形態に係る小物用フックを収納体に取り付けた状態を示す側面断面図
【図５】第一実施形態に係る小物用フックを収納体に取り付けて回動させた状態を示す正面図であって、（ａ）は収納状態、（ｂ）は使用状態
【図６】本願考案に係る小物用フックの第二実施形態を示し、（ａ）は正面図、（ｂ）は側面図、（ｃ）は（ａ）のＢ−Ｂ断面図
【図７】本願考案に係る小物用フックの第三実施形態を示し、（ａ）は正面図、（ｂ）は側面図、（ｃ）は（ａ）のＣ−Ｃ断面図
【図８】第三実施形態に係る小物用フックを収納体に取り付けて回動させた状態を示す正面図であって、（ａ）は収納状態、（ｂ）は使用状態
【図９】従来技術に係る小物用フックを示し、（ａ）は正面図、（ｂ）は平面断面図
【考案を実施するための形態】
【００１４】
この考案に係る小物用フックの第一実施形態を図１乃至５に示す。この小物用フックは、商品の収納体Ｐをその一方の面側から挟み込む第一挟み込み片１と、この第一挟み込み片１と連設部２を介して連設され、収納体Ｐをその他方の面側から挟み込む第二挟み込み片３と、第一挟み込み片１に連設された吊り下げ部４を備えている。さらに、第一挟み込み片１には第一係止部５が形成され、この第一係止部５は、第一挟み込み片１の裏面側（前記一方の面と当接し得る面側）に突出する円筒部６と、第一挟み込み片１の表面側に円筒部６の内面と連続する段差部７が形成された雌スナップとなっている。その一方で、第二挟み込み片３には第二係止部８が形成され、この第二係止部８は、第二挟み込み片３の裏面側（前記他方の面と当接し得る面側）に突出する円筒部９と、その先端部に鍔部１０が形成された雄スナップとなっている。
【００１５】
この連設部２は両挟み込み片１、３と比較して薄肉に形成されており、両挟み込み片１、３が対向するように、この連設部２で自在に折り曲げることができる。
【００１６】
この小物用フックの使用に際しては、図３及び４に示すように、収納体Ｐに形成したフック孔Ｈに、第二挟み込み片３に形成した第二係止部８の円筒部９を挿し込み、連設部２を折り曲げて両挟み込み片１、３が対向するようにし、第一挟み込み片１に形成した第一係止部５の円筒部６に、第二係止部８の円筒部９を挿し込む。この挿し込みにより、第二係止部８の鍔部１０と、第一係止部５の段差部７とが係合し、両円筒部６、９の抜け止めがなされる。
【００１７】
この小物用フックは、図５に示すように、収納体Ｐのフック孔Ｈ周りに回動し得るようになっており、不使用時には、この吊り下げ部４を収納体Ｐの端部Ｐｅから突出しないように収納する一方で（同図（ａ）を参照）、使用時には、この吊り下げ部４を収納体Ｐから起立させる（同図（ｂ）を参照）。この回動の範囲は、収納体Ｐの両面を跨ぐように設けられた連設部２が端部Ｐｅに当接することによって制限され、第一実施形態に示す構成においては、不使用時には吊り下げ部４がちょうど横向きとなって収納された状態で連設部２が端部Ｐｅに当接する一方で、使用時には吊り下げ部４がちょうど起立した状態でこの連設部２が端部Ｐｅに当接するようになっている。すなわち、この吊り下げ部４は９０度の範囲で回動し得る。この回動範囲は、連設部２やフック孔Ｈの形成位置（フック孔Ｈと端部Ｐｅの間の距離）を適宜設計変更することによって、自在に変更することができる。
【００１８】
この考案に係る小物用フックの第二実施形態を図６に示す。この小物用フックは、第一実施形態において第二挟み込み片３にも吊り下げ部４を形成したものである。この小物用フックを収納体Ｐに設けると、両挟み込み片１、３に形成した両吊り下げ部４、４が互いに合わさった状態となる。このため、この吊り下げ部４の強度が向上し、収納体Ｐの重みによって吊り下げ部４が変形するトラブルを回避することができる。
【００１９】
この考案に係る小物用フックの第三実施形態を図７及び８に示す。この小物用フックは、第一実施形態に記載の第一挟み込み片１及び吊り下げ部４を左右反対に配置したものであって、両挟み込み片１、３が連設部２を介して連設されている。このように構成した場合も、第一実施形態において説明したように、連設部２が端部Ｐｅと当接することにより吊り下げ部４の回動が所定角度範囲内に制限される。
【００２０】
この第三実施形態における吊り下げ部４は、不使用時には収納体Ｐの端部Ｐｅから突出しないように収納され、使用時には収納体Ｐから９０度回動して起立される点で第一実施形態の構成と同じである（図８を参照）。その一方で、使用及び不使用に伴う吊り下げ部４の回動方向が両者で異なる。すなわち、第一実施形態では、吊り下げ部４がちょうど起立した状態から、この吊り下げ部４の開口部１１が上を向くように傾きながら収納されるのに対して、第三実施形態では、前記起立した状態から、この吊り下げ部４の開口部１１が下を向くように傾きつつ収納される。
【００２１】
この第三実施形態のように吊り下げ部４を回動することにより、商品の陳列中に収納体Ｐに対して吊り下げ部４が回動した場合に、この吊り下げ部４の開口部１１が上向きとならない。このため、店舗等のハンガー棒Ｂから吊り下げ部４が外れにくく、商品の落下に起因する破損や汚れを防止することができる。
【００２２】
なお、上記の各実施形態では、不使用時に吊り下げ部４が収納体Ｐの端部Ｐｅから突出しないように収納する構成としたが、吊り下げ部４の一部がこの端部Ｐｅから突出する構成としてもよい。また、両挟み込み片１、３の係止手段としてスナップを採用したが、これ以外にも公知の係止手段を適宜採用することができる。
【符号の説明】
【００２３】
１  第一挟み込み片
２  連設部
３  第二挟み込み片
４  吊り下げ部
５  第一係止部
６  （第一係止部の）円筒部
７  段差部
８  第二係止部
９  （第二係止部の）円筒部
１０  鍔部
１１  開口部
Ｐ  収納体
Ｐｅ  （収納体の）端部
Ｈ  フック孔
【図１】
0003160038.tif 000003
【図２】
0003160038.tif 000004
【図３】
0003160038.tif 000005
【図４】
0003160038.tif 000006
【図５】
0003160038.tif 000007
【図６】
0003160038.tif 000008
【図７】
0003160038.tif 000009
【図８】
0003160038.tif 000010
【図９】
0003160038.tif 000011